(57)【特許請求の範囲】
【請求項１】
基本直径Ｄの中心点と、この中心点をＹ軸に向けて中心移相（ｈ２）した中心点の直径Ｄ２とのそれぞれの円形線の交点をＹ軸方向に直線状に結線（直線の全長ｈ）し、この結線同志をＸ軸に向けて直径Ｄ１とし、この直径Ｄ２と直径Ｄ１とをＤ２＞Ｄ＞Ｄ１の関係にすると共に、Ｄ１＝Ｄ×０．９５，Ｄ２＝Ｄ×１．０５，ｈ１（Ｄ２とＤ１との交点か
0004886958.tif 000005
グ本体を構成し、前記の直径Ｄ２と直径Ｄ１とのリング本体の交点における内周部位をアール状に形成し、このリング本体を挿着軸線に沿ったＺ軸を変位させてリング本体のＺ軸方向の曲線を弓の弦形状に形成してＸＹＺの三次元を構成する環状のリング本体を製造するようにしたことを特徴とする指輪の製造方法。
【発明の詳細な説明】
【０００１】
【発明の属する技術分野】
本発明は、指輪を装着した際の圧迫感を解消し、みだりに回転することなく装着性が良好であり、指輪のサイズの許容範囲が広く、サイズ直しをほとんどしなくても良く、また、その製造方法が容易であり、量産にも好適な指輪の製造方法に関する。
【０００２】
【従来の技術】
この種の環形状の指輪は、各種の形態の指輪が提案されており、例えば、リングの上方に、ダイヤモンド等の飾体を設けたもの、又は、リングの上方をハート形状にしたり、花形状などに形成したもの、或は、その他の各種の形態のものが知られている。
【０００３】
そして、このリングを指に装着するには、適宜の指の先端側から指の第２関節を通過させて指の付け根部分と第２関節の間に装着し、例えば、飾体を有するリングは、手の甲側に飾体を常に位置させることが必要であり、これは、指輪の価値を演出する上で重要な要素の一つとなっている。
【０００４】
ところで、通常、指輪の内面形状は、略円形状に形成されているため、装着されている指輪がみだりに回転して動いてしまい、指輪としての美の要素を失ってしまう。
また、指輪のサイズを選択する際、指の第２関節を通過できるサイズで合わせると、指の奥側に装着したとき、サイズが大きすぎるため、指輪が回転したり、指輪が両隣の手指に当たり、違和感が生じる。
【０００５】
一方、指輪の回転防止や違和感をなくすために、きつめのサイズの指輪を装着すると、指のむくみなどで取外しができなくなったり、圧迫感を増大させる問題が生じたり、また、指を曲げたときに、手指の肉の盛上りで、大きな圧迫を感じる問題も有していた。
そこで、本発明者等は、特開平９−２３８７１９号公報を提供し、これらの問題点に対応している。
【０００６】
【発明が解決しようとする課題】
しかしながら、同公報であっても、必ずしも実施品に対応して具体化したものではなく、実施品として実用価値を有し、量産可能な指輪の開発が望まれていた。
【０００７】
特に、手指のサイズは、人により様々で、指輪を購入する際に、指輪を使用する人のサイズにサイズ直しをすることが多く、また、使用しているうちに、手指が太ったり、細くなったりした場合もサイズ直しをする。本来は、サイズ直しをすることなく使用できれば、品質的にも、金額的にも、サイズ直しの時間的にも良いが、実際には、サイズ直しが行なわれているのが実情である。なお、指輪の形状や宝石等が付いている場合には、サイズ直しが不可能な場合もある。
【０００８】
本発明は、特開平９−２３８７１９号公報の技術に基づいて、従来の指輪が有する問題点を一挙に解消するために開発したものであり、その目的とするところは、指輪を付けていることを忘れる程度に確実にフィットし、指輪の回転が防止され、常に指輪本来の装飾性を保持すると共に、取外しが容易で、装着時の圧迫感や違和感が減少し、多少の太りや細り、むくみにもサイズ直しをすることなく、対応することが可能で、実施品として量産に供することができる指輪を提供することにある。
【０００９】
【課題を解決するための手段】
上記の目的を達成するため、本発明は、環形状のリング本体２の内周面の上下部位を上下方向へ引き延ばしたＹ軸の直径Ｄ２と内周面の側面部位を直線状に形成したＸ軸の内周直径Ｄ１と基本直径Ｄとの関係をＤ２＞Ｄ＞Ｄ１とし、更に、リング本体２を指に挿着する挿着軸線に沿ったＺ軸にｔ分だけ変位させてＸＹＺの三次元を成すリング本体２を構成し、このＺ軸の変位量の形態は、当該リング本体２を側面から見て、弓の弦形状とした指輪を採用している。更に、リング本体２の外周面の側面部位を直線状に形成する。
【００１０】
具体的には、基本直径Ｄの中心点と、この中心点をＹ軸に向けて中心移相（ｈ２）した中心点の直径Ｄ２とのそれぞれの円形線の交点をＹ軸方向に直線状に結線（直線の全長ｈ）し、この結線同志をＸ軸に向けて直径Ｄ１とし、この直径Ｄ２と直径Ｄ１とをＤ２＞Ｄ＞Ｄ１の関係にすると共に、Ｄ１＝Ｄ×０．９５，Ｄ２＝Ｄ×１．０５，ｈ１
0004886958.tif 000002
係を有するようにリング本体２を構成し、このリング本体２を挿着軸線に沿ったＺ軸を少なくともｔ分だけ変位させてリング本体２のＺ軸方向の曲線を適宜形態に形成してＸＹＺの三次元を構成する環状のリング本体２を製造するようにした指輪の製造方法である。
この場合、直径Ｄ２と直径Ｄ１とのリング本体２の交点４における内周部位をアール状に形成した。
【００１１】
本発明は、上述のように構成したから、指輪（リング本体）２を手指１に挿入する場合、第２関節を通過させる時は、略４５°〜９０°程度回転させて、挿通させ、次いで、指の奥に行くに従って、指輪２を正常位置に戻すように回転させると、指輪２は、指の両側部がフィットし、上下部は、多少ゆとりがあるため、むくみや圧迫から開放され、多少の太りや細りにも対応でき、その都度のサイズ直しをすることなく、使用することができる。これは、手指の形状が第２関節６は上下方向が小さく、両側部が大きく、一方、手指の付け根部位である指輪を装着する部位は、上下方向が大きく、両側部が小さいことに起因する。
【００１２】
更に、側面から見て弦の形状やＪ字形状に指輪を形成しているため、指輪の内周両側部位は、手指の水かき部位に接し、下側部位は手の平と指の付け根の皺７又は手の平側にセットされるため、手指の握り曲げ等の動作による指の肉盛上りにも圧迫を受けることはない。
【００１３】
また、指輪の上下位置は、手の甲側及び手の平側に接し、両側部位は、指の水かき部位５に接して振幅形状になっているため、指の回転内周上に対して、摺動抵抗が大きく、しかも、指輪の両側で固定していると共に、指の水かき部位５によって回転が阻止され、指輪２はみだりに回転することはない。
更に、指輪２の外周両側部は、略直線形状のため、隣接する指に対しても違和感や圧迫感も与えることがない。
【００１４】
【発明の効果】
以上のことから明らかなように、本発明によると、ＸＹＺの三次元を利用した画期的な指輪であるから、回転しにくい優れたフィット感に加えて、リングサイズにも柔軟性があり、しかも、実施品として量産に供することができる。
【００１５】
具体的には、回転するには抵抗が大きい構造であるから、指輪は、常に正規の指の奥側位置に装着されて指は両脇で押さえられているため、商品価値が高く、しかも、指を細長く見せる効果を有している。
【００１６】
また、手を握っても圧迫感がなく、指に圧迫感を与えることがなく、リング本体は、主に指の両脇で押さえているので、血液の流れがスムーズで、むくみを感じることなく、隣接する指にも違和感を与えないと共に、所定のサイズに許容範囲を有しているので、多少のサイズの違いにも対応できる柔軟性を有している等の効果を奏する。
【００１７】
【発明の実施の形態】
以下に、本発明における指輪とその製造方法の具体例を図面に基づいて詳述する。
まず、第１図〜第４図に従って、手指の構造を解析すると、手指１は、通常、第１図のａ位置が第２関節６であって、第３図に示すようにＡ＞Ｂで、第１図のｂ位置においてＡ′＜Ｂ′の関係にあり、更に、ｂ位置内周＜ａ位置内周で、Ｂ″＞Ｂ′という形状を呈している。
【００１８】
従来の指輪は、ａ位置の通過時、第２関節の横幅であるＡ直径で指輪のサイズを決めるので、図中のｂ位置では、ゆるくなることは確実であり、従って、回転しやすく、隣接の手指にも違和感を与えることになる。更に、この状態で使用を継続していると、第１図のｃ位置まで指輪が落ち、指の肉の盛上り位置で止まったまま装着している例がほとんどである。このｃ位置に装着されていると、指を曲げた時に肉の盛上りで大きい圧迫感があり、血流を妨害したり、手指にむくみが生じる原因となる。
【００１９】
通常の指輪は、このような実情であるから、サイズを選択する場合、指輪が大きければ回転したり、落としたり、一方、小さければ挿入することができず、また、指の太り、細り、むくみ等に対応することが困難であり、そのため、数多くのサイズ直しが行なわれる。
【００２０】
そこで、本発明における指輪を製造する例をＸ、Ｙ、Ｚの三次元で設計された具体例で説明する。
通常の指輪番型寸法は、第１１図のリングサイズとＤの欄に示したとおりであり、本発明における指輪の番型も通常と同じように呼ぶことにする。ここでは、通常のリングサイズの直径を基本直径Ｄとする。
第７図において、内周側面：Ｄ１＝Ｄ×０．９５，内周上下：Ｄ２＝Ｄ×１．０５，上下
0004886958.tif 000003
直線の全長：ｈ＝（ｈ１＋ｈ２）×２，Ｚ軸の変位：（Ｚ）Ｒ（実施に応じて任意）という関係にある。
【００２１】
これを、第１１図に示すリングサイズ＃１０番をＤに代入すると、Ｄ＝１６ｍｍであり、Ｄ１＝１６×０．９５＝１５．２０，Ｄ２＝１６×１．０５＝１６．８０，ｒ＝１６
0004886958.tif 000004
＝（２．４９８＋０．４）×２≒５．７９５であり、（Ｚ）Ｒは、実施に応じて任意の半径の弧を有する。
【００２２】
上記のような、特徴に基づいて、製造した指輪を手指の適正位置に装着すると、指輪２の内周両側面Ｄ１寸法で固定され、内周上下面寸法Ｄ２で指への当たりを逃がしているので、血流を保持し、むくむことなく、しかも、圧迫感も生じることなく使用でき、しかも、Ｚ軸方向にｔ寸法だけ変位して、指に対し接点がずれているので、更に、これらの機能を有効に発揮することになる。
【００２３】
次に、本発明における作用を具体的に説明すると、装着の際は、まず、第８図に示すように、指輪２を４５°〜９０°位回転させながら、挿入すると、指輪２は、第２関節６の形状になり、この場合、第２関節６を通過するとき、第８図のＦ点の肉の盛上りは、Ｅ点に逃げて挿入しやすく、また、Ｅ点の肉の盛上りはＦ点に逃げるので、抜く際にも容易になる。次いで、第２関節６を通過させ、そして、奥側位置まで挿入して正規の位置に回転させて戻すと、指の側面でフィットされ、しかも、上下の部位は、第２図においてｄ位置でＢ″＞Ｂ′であるため、軽くフィットし、圧迫感は生じない。この場合、指輪が回転しないのは、第１０図において、指輪のＧ側は手の甲位置で、Ｈ側は手の平位置又は曲がり皺の位置にあり、ＧとＨは指の水かき部５を越しているので、回転しにくいと共に、ＧからＨは内周方向に対し曲線であるから、抵抗が大きく、そのため回転しにくい。
【００２４】
次に、本発明における指輪のサイズが、従来品に比較して許容範囲があり、柔軟性がある理由について説明する。
従来の指輪の番型は、＃１〜＃２５位が使用されており、直径で１／３ｍｍ、円周１ｍｍの比で１番ずつ変化し、断面積で約５〜３％変化する。第１１図に示したように、例えば、＃１０番で比較すると、通常の＃１０は直径が１６ｍｍで、これは第２関節６の第３図におけるＡ寸法が約１６ｍｍということになる。
【００２５】
本発明における＃１０のＸ軸の側面寸法は（Ｄ１）は、１５．２０ｍｍのため、第２関節６から抜け出すおそれはない。また、本発明におけるＹ軸の上下寸法（Ｄ２）は、１６．８０ｍｍであるから、第１１図において、本発明における＃１０は、通常の＃８から＃１２までのサイズの許容範囲が可能となり、そのため、前後２番が許容されるので、合計５番のサイズに対応することができる。
【００２６】
【図面の簡単な説明】
第１図は、手指の構造を解析した平面説明図である。
第２図は、同上の正面説明図である。
第３図は、第２図のＩ−Ｉ線断面図である。
第４図は、第２図のＩＩ−ＩＩ線断面図である。
第５図は、本発明における指輪の一実施例を示した正面図である。
第６図は、第５図の右側面図である。
第７図は、本発明における指輪の内側の形態例を説明した詳細図である。
第８図は、指輪を略９０°回転させて指に挿入する状態を示した平面説明図である。
第９図は、指輪を手指の奥側に装着した平面説明図である。
第１０図は、第９図の正面説明図である。
第１１図は、本発明における指輪の番型例を示した表である。
【００２７】
【符号の説明】
２  リング本体（指輪）
４  交点
【図１】
0004886958.tif 000006
【図２】
0004886958.tif 000007
【図３】
0004886958.tif 000008
【図４】
0004886958.tif 000009
【図５】
0004886958.tif 000010
【図６】
0004886958.tif 000011
【図７】
0004886958.tif 000012
【図８】
0004886958.tif 000013
【図９】
0004886958.tif 000014
【図１０】
0004886958.tif 000015
【図１１】
0004886958.tif 000016